(57)【要約】【課題】  送出バンクシステムに記録された素材が、放送送出用として正しいか否かを極めて容易に判断できるようにする。【解決手段】  元素材の映像音声信号を記録する記録媒体から出力した番組素材の映像音声信号を記録する素材格納部２１と、その記録された番組素材に応じた番組情報を記録する文字情報格納部１１と、番組記録媒体に記録されたクレジット画像の映像音声信号を記録するクレジット画像格納部１２と、その記録された番組情報とクレジット画像とを比較判定し、その判定結果を表示する判定装置および表示装置４１とを有する。【選択図】      図１
2005109548.tif 000002
【特許請求の範囲】
【請求項１】
クレジット画像および番組素材を有する元素材の映像音声信号を記録する記録媒体から出力した番組素材の映像音声信号を記録する素材格納部と、前記記録された番組素材に応じた番組情報を記録する文字情報格納部と、前記番組記録媒体に記録されたクレジット画像の映像音声信号を記録するクレジット画像格納部と、前記記録された番組情報とクレジット画像とを比較する判定装置と、前記判定装置の判定結果を表示する表示装置とを有することを特徴とする送出バンクシステム。
【発明の詳細な説明】
【技術分野】
【０００１】
本発明は、送出バンクシステムにおいて、元素材のクレジット画像を取り込み、そのクレジット画像と収録した素材に応じた番組情報とを容易に比較できるようにするためのものである。
【背景技術】
【０００２】
従来、送出バンクシステムに番組素材を記録するために、まず、番組素材（本編とも称す）とその前後に連続して記録された前捨て画像と後捨て画像とクレジット画像とを記録した媒体である、元素材が作成される。そして、その元素材から、本編と前捨て画像・後捨て画像の各一部分とを含む画像を、送出バンクの素材格納部に記録し格納する。そして、その記録された画像（素材とも称す）を所定の放送送出スケジュールに応じて送出するようにしている。
【０００３】
ここで、送出バンクシステムに収録された素材が、放送送出用として適した素材であるか否かの判定が従来から行われているが、それは、送出バンクシステムのうちの素材管理システムに登録されている文字情報（番組情報）を表示すると共に、上述の収録された素材の内容を再生表示し、それら表示を操作者が視聴し内容比較することで、内容が正しいか否かの判定を行っていた。
【０００４】
また、クレジット画像には、例えば、素材の名称、スポンサー、素材識別番号等の文字が表示されている。
なお、クレジット画像を表示する技術としては、特許文献１の特開平６−１１９７６０号公報に記載のものがある。
【特許文献１】特開平６−１１９７６０号公報
【発明の開示】
【発明が解決しようとする課題】
【０００５】
上述の従来技術では、素材管理システムに登録されている文字情報と収録された素材の内容とを操作者が視聴して比較していたため、内容の類似した素材が複数存在している場合、正しい素材を容易に判別できずに、場合によっては誤って収録されてしまうことがあった。
【０００６】
本発明の目的は、素材と一緒に収録されているクレジット画像を送出バンクシステムに取り込み、その取り込んだクレジット画像と、素材管理システムにあらかじめ登録されている文字情報とを同時に表示する。そうすることにより、放送送出用の正しい素材が収録されたかを判断しやすくすることである。さらに、そのクレジット画像の内容と、対応する文字情報の内容とを比較し、それらの内容が一致するか否かを判定する手段を設け、その判定手段による判定結果を表示することで、極めて容易に正しい素材を収録したかを判断できるようにするものである。
【課題を解決するための手段】
【０００７】
そのため本発明は、クレジット画像および番組素材を有する元素材の映像音声信号を記録する記録媒体から出力した番組素材の映像音声信号を記録する素材格納部と、前記記録された番組素材に応じた番組情報を記録する文字情報格納部と、前記番組記録媒体に記録されたクレジット画像の映像音声信号を記録するクレジット画像格納部と、前記記録された番組情報とクレジット画像とを比較する判定装置と、前記判定装置の判定結果を表示する表示装置とを有するものである。
【発明の効果】
【０００８】
以上説明したように本発明によれば、あらかじめ登録された素材の文字情報と、クレジット画像の表示内容とを容易に比較判定し、誤収録が防止されやすくなる。
【発明を実施するための最良の形態】
【０００９】
以下、本発明による考査作業の実施例について、図面を用いて説明する。
図１は本発明の実施例の送出バンクシステムのブロック構成を示す図である。この送出バンクシステムは、素材管理システム１、送出バンク２、素材収録設備３および、判定装置および表示装置４１を有する。
【００１０】
素材管理システム１は、文字情報格納部１１とクレジット画像格納部１２とを備える。送出バンク２は、素材格納部２１を備える。素材収録設備３は、元素材再生装置３１とクレジット取り込み部３３とを備える。
【００１１】
送出バンク２に素材を収録する場合、操作者は判定装置および表示装置４１で、素材管理システム１の文字情報格納部１１から取り出した収録を行う素材の文字情報を確認する。そして、収録を行う素材の元素材５を、素材収録設備３の元素材再生装置３１に入れ、再生された素材を素材格納部２１に収録すると共に、クレジット画像がクレジット取り込み部３３を介してクレジット画像格納部１２へ取り込まれる。
【００１２】
ここで、元素材５はクレジット画像５１、前捨て画像５２、本編５３、後捨て画像５４が記録されている。この例では、元素材５からの再生開始位置２０１をクレジット画像５１の範囲内とすることにより、元素材５から再生開始されて、まず、クレジット取り込み部３３がクレジット画像を画像としてクレジット画像格納部２１に取り込む。そして、前捨て画像５２の一部、本編５３、後捨て画像５４の一部が素材格納部２１に収録される。
【００１３】
判定装置および表示装置４１には、図２の画面例に示すように、素材情報表示部３０１には文字情報格納部１１から取り出された文字情報が表示され、クレジット表示部３１０にはクレジット画像格納部１２から取り出されたクレジット画像が表示されている。
【００１４】
そのため、素材がその放送送出用として正しい素材で有るか否かの判定作業を行うに当たり、素材情報表示部３０１に表示された文字情報と、クレジット表示部３１０に表示された素材のクレジット画像とを並べて表示して比較することにより、送出バンク２の素材格納部２１に収録された素材を見ただけでは判別が困難だった類似素材との判別が容易となる。
【００１５】
また、クレジット表示部３１０に表示されたクレジット画像の素材名３１２やスポンサー名３１３や素材識別番号３１４の映像から文字認識機能を用いて文字情報として読み取り、その読み取られた文字情報と、素材情報表示部に表示された素材名３０２やスポンサー名３０３や素材識別番号３０４とそれぞれ相対する情報どうしを比較して、それらが一致するか否かを判定装置および表示装置４１により判断する。そして、それらが全て一致したか、あるいは一部でも不一致であったかの判定結果を、図２の判定結果表示部３２０に、判定結果３２１として表示する。
【００１６】
以上のようにすることで、あらかじめ登録された素材の文字情報とクレジット画像の表示内容とを容易に比較判定し、それによって誤収録が防止され、類似素材とは異なることを容易に判別することができる。
【図面の簡単な説明】
【００１７】
【図１】本発明の実施例の送出バンクシステムのブロック構成を示す図である。
【図２】本発明による判定装置および表示装置４１の表示の一例を説明する図。
【符号の説明】
【００１８】
１：素材管理システム、  ２：送出バンク、  ３：素材収録設備、  ４：考査端末、  ５：元素材、  １１：文字情報格納部、  １２：クレジット画像格納部、  ２１：素材格納部、  ３１：元素材再生装置、  ３３：クレジット取り込み部、  ４１：判定装置および表示装置、  ５１：クレジット画像、  ５２：前捨て画像、  ５３：本編、  ５４：後捨て画像、  ３０１：素材情報表示部、  ３１０：クレジット表示部、  ３２０：判定結果表示部。
【図１】
2005109548.tif 000003
【図２】
2005109548.tif 000004